(57)【要約】【課題】被保持体を保持体に保持しても被保持体の操作性を損なうことなく、被保持体を被覆できる保持体を提供する。【解決手段】  蓋部１０と蓋部１０を受け入れる受入部２０とを有する。蓋部１０は、第１の枠体１２と、第１の枠体１２の一方の側に貼られた伸長性があり、かつ、透明性のある第１のシート１４とを含む。受入部２０は、第２の枠体２２と、第２の枠体２２の一方の側から他方の側に回り込むように貼られた伸長性があり、かつ、透明性のある第２のシート２４とを含む。蓋部１０は、第２の枠体２２と、第２のシート２４との間に、はめ込まれるように保持される。【選択図】図４
2010222015.tif 000002
【特許請求の範囲】
【請求項１】
蓋部と前記蓋部を受け入れる受入部とを有し、
前記蓋部は、第１の枠体と、前記第１の枠体の一方の側に貼られた伸長性があり、かつ、透明性のある第１のシートとを含み、
前記受入部は、第２の枠体と、前記第２の枠体の一方の側から他方の側に回り込むように貼られた伸長性があり、かつ、透明性のある第２のシートとを含み、
前記蓋部は、前記第２の枠体と、前記第２のシートとの間に、はめ込まれるように保持される保持体。
【請求項２】
枠体を含み、
前記枠体の対向する辺において、連動して屈曲および伸長可能な部分を有し、
前記枠体に袋状の伸長性があり、かつ、透明性のあるシートが設けられている保持体。
【請求項３】
複数の突出部分を有し、前記複数の突出部分を折り畳むことにより被保持体を被覆する保持体。
【発明の詳細な説明】
【技術分野】
【０００１】
本発明は、電子機器や小物などを保持する保持体に関する。
【背景技術】
【０００２】
電子機器の保護カバーが種々提案されている。保護カバーを装着後において、保護カバーを操作面を覆わないことが一般的である（特許文献１参照）。
【先行技術文献】
【特許文献】
【０００３】
【特許文献１】特開２００７−１２７９８０号公報
【発明の概要】
【発明が解決しようとする課題】
【０００４】
本発明の目的は、被保持体を保持体に保持しても被保持体の操作性を損なうことなく、被保持体を被覆できる保持体を提供することにある。
【課題を解決するための手段】
【０００５】
本発明の第１の保持体は、
蓋部と前記蓋部を受け入れる受入部とを有し、
前記蓋部は、第１の枠体と、前記第１の枠体の一方の側に貼られた伸長性があり、かつ、透明性のある第１のシートとを含み、
前記受入部は、第２の枠体と、前記第２の枠体の一方の側から他方の側に回り込むように貼られた伸長性があり、かつ、透明性のある第２のシートとを含み、
前記蓋部は、前記第２の枠体と、前記第２のシートとの間に、はめ込まれるように保持される。
【０００６】
本発明の第２の保持体は、
枠体を含み、
前記枠体の対向する辺において、連動して屈曲および伸長可能な部分を有し、
前記枠体に袋状の伸長性があり、かつ、透明性のあるシートが設けられている。
【０００７】
本発明の第３の保持体は、
複数の突出部分を有し、前記複数の突出部分を折り畳むことにより被保持体を被覆する。
【図面の簡単な説明】
【０００８】
【図１】被保持体を保持する保持体の例を示す図である。
【図２】第１の枠を模式的に示す図である。
【図３】第２の枠を模式的に示す図である。
【図４】被保持体を保持体に保持する方法を説明する図である。
【図５】被保持体から配線を引き出す方法を説明する図である。
【図６】カバー体を模式的に示す図である。
【図７】（Ａ）は、第２の実施の形態に係る保持体の平面図であり、（Ｂ）は、保持体を横からみた図である。
【図８】第３の実施の形態に係る保持体の図である。
【図９】第３の実施の形態に係る保持体の図である。
【発明を実施するための形態】
【０００９】
以下、本発明の好適な実施の形態について詳細に説明する。
【００１０】
１．第１の実施の形態
図１は、被保持体を保持する保持体の例を示す図である。
【００１１】
保持体１００Ａは、蓋部１０と蓋部１０を受け入れる受入部２０とを有する。蓋部１０は、第１の枠体１２と、第１の枠体１２の一方の側に貼られた第１のシート１４とを含む。第１のシート１４は、伸長性があり、かつ、透明性のあるものである。受入部２０は、第２の枠体２２と、第２の枠体２２の一方の側から他方の側に回り込むように貼られた第２のシート２４とを含む。第２のシート２４は、伸長性があり、かつ、透明性のあるものである。蓋部１０は、第２の枠体２２と、第２のシート２４との間に、はめ込まれるように保持される。具体的には、図４に示すように、蓋部１０は、受入部２０に陥入し、受入部２０の第２の枠体２２と第２のシート２４との間にもぐりこむように保持される。
【００１２】
受入部２０は、切り欠き部２６がある。蓋部１０は、切り欠き部２６に対応する位置に内側に屈曲する屈曲部１６が設けられている。図５に示すように、保持体１００Ａに電子機器が保持されていた場合には、その引き出し配線は、切り欠き部２６と屈曲部１６を通じて引き出すことができる。
【００１３】
図６に示すように、ストラップを通すための穴２８ａを有するカバー体２８を受入部２０に取り付けてもよい。
【００１４】
２．第２の実施の形態
図７（Ａ）は、第２の実施の形態に係る保持体の平面図であり、図７（Ｂ）は、保持体を横からみた図である。
【００１５】
保持体１００Ｂの対向する枠３０の部分が屈曲可能に設けられている。保持体１００Ｂの枠３０に袋状のシート３２が設けられている。シート３２は伸長性があり、かつ、透明性があるものである。枠３０が屈曲状態から伸びた状態となると、袋状のシート３２がその分だけ伸びることになり、被保持体を挟む力が増し、被保持体を保持することができる。
【００１６】
３．第３の実施の形態
図８および図９は、第３の実施の形態に係る保持体の図である。
【００１７】
保持体１００Ｃは、第１〜第４の突出部分４０ａ〜４０ｄを有する。第１〜第４の突出部分４０ａ，４０ｂ，４０ｃ，４０ｄには、それぞれ留め具５０ａ〜５０ｈが設けられている。たとえば、第１の突出部分４０ａには、第２の突出部分４０ｂの留め具（たとえば凹部を有するスナップ）５０ｂと係合する留め具（たとえば凸部を有するスナップ）５０ａと、第４の突出部分４０ｄの留め具（たとえば凹部を有するスナップ）５０ｄと係合する留め具（たとえば凸部を有するスナップ）５０ａとが設けられている。第３の突出部分４０ｃには、第２の突出部分４０ｂの留め具（たとえば凹部を有するスナップ）５０ｄと係合する留め具（たとえば凸部を有するスナップ）５０ｅと、第４の突出部分４０ｄの留め具（たとえば凹部を有するスナップ）５０ｇと係合する留め具（たとえば凸部を有するスナップ）５０ｆとが設けられている。必要に応じてベルトを通る穴を設けてもよい。
【００１８】
４．シート
上記のシートは、熱可塑性のもので、ポリウレタン系の材質とポリエチレン系の材質の積層構造のものを採用することができる。
【００１９】
５．被保持体
保持体に保持される被保持体は、携帯用のものが好適である。たとえば、携帯用の電子機器やカードのようなものを挙げることができる。
【００２０】
本実施の形態は、本発明の範囲内において種々の変形が可能である。
【産業上の利用可能性】
【００２１】
本発明の保持体は、被保持体を保持しながらも、保持体の操作性を確保することができる。
【符号の説明】
【００２２】
１０  蓋部
２０  受入部
１００Ａ〜１００Ｃ  保持体
【図１】
2010222015.tif 000003
【図２】
2010222015.tif 000004
【図３】
2010222015.tif 000005
【図４】
2010222015.tif 000006
【図５】
2010222015.tif 000007
【図６】
2010222015.tif 000008
【図７】
2010222015.tif 000009
【図８】
2010222015.tif 000010
【図９】
2010222015.tif 000011